(57)【要約】【課題】作業対象物の出隅の外側に配置される部分を有していても、足場板をブラケット部材を介して連結できる出隅用仮設足場及びその構築方法を提供すること。【解決手段】  出隅６と対面して立設された支柱１Ａ，１Ｂには、４個２Ａ〜２Ｄで１組をなす複数組みの連結枠２が上下に設けられ、互いに隣接する２本の支柱１Ａ、１Ｂの連結枠２のうち、連結枠２Ａに手摺り部材１０の両端部が連結され、手摺り部材１０の両端部に上端部が回動自在に連結された２本のブレース部材の下端部は、支柱１Ａ，１Ｂの手摺り部材１０の両端部が連結されている連結枠２Ａよりも下側の組みに属する連結枠２Ａに連結され、連結枠２Ａは、出隅６とは反対側の外側に配置された連結枠であり、ブレース部材の下端部が連結された組みの連結枠であって、出隅６と同じ側の内側に配置されている連結枠２Ｃに、ブラケット部材２６を介して足場板２５が連結される。【選択図】図２
2010242424.tif 000002
【特許請求の範囲】
【請求項１】
作業対象物の出隅の外側に配置される部分を有する出隅用仮設足場であって、
外周部に４個で１組をなす連結枠が設けられ、これらの４個の連結枠が円周方向に９０度間隔で配置されているとともに、上下方向に複数組みの前記連結枠が設けられた支柱と、
互いに隣接する２本の前記支柱に設けられている前記連結枠のうち、同じ高さレベルに配置されていて、前記出隅とは反対側の外側に配置されている連結枠に両端部が連結されている棒状の手摺り部材と、
この手摺り部材の端部に上端部が回動自在に連結されているとともに、下端部が、前記２本の支柱のうちの１本の支柱に設けられている前記複数組みの連結枠のうち、前記手摺り部材の両端部が連結されている前記連結枠よりも下側の組みに属する連結枠であって、前記出隅とは反対側の外側に配置されている連結枠に連結されている少なくとも１本ブレース部材と、
このブレース部材の下端部が連結された前記連結枠を備えている前記１本の支柱に設けられている前記複数組みの連結枠のうち、前記ブレース部材の下端部が連結された前記連結枠が属する組みの連結枠であって、前記出隅と同じ側の内側に配置されている連結枠に、ブラケット部材を介して連結された足場板と、
を含んで構成されていることを特徴とする出隅用仮設足場。
【請求項２】
請求項１に記載の出隅用仮設足場において、前記ブレース部材は２本あり、これらのブレース部材のそれぞれの上端部は、前記手摺り部材の互いに反対側の端部に回動自在に連結されているとともに、前記２本のブレース部材のそれぞれの下端部は、前記２本の支柱に設けられている前記複数組みの連結枠のうち、前記手摺り部材の両端部が連結されている前記連結枠よりも下側の組みに属する連結枠であって、前記出隅とは反対側の外側に配置されている連結枠に連結されていることを特徴とする出隅用仮設足場。
【請求項３】
請求項１又は２に記載の出隅用仮設足場において、前記手摺り部材の少なくとも一方の端部には、この端部を前記連結枠に連結するための連結部材が結合されており、この連結部材に前記ブレース部材の上端部が回動自在に連結されることにより、前記連結部材を介して前記ブレース部材の上端部が前記手摺り部材の端部に回動自在に連結されていることを特徴とする出隅用仮設足場。
【請求項４】
請求項３に記載の出隅用仮設足場において、前記連結部材には、前記手摺り部材に対する前記ブレース部材の回動開き角度を規制するための開き角度規制部が設けられていることを特徴とする出隅用仮設足場。
【請求項５】
作業対象物の出隅の外側に配置される部分を有する出隅用仮設足場を構築する方法であって、
外周部に４個で１組をなす連結枠が設けられ、これらの４個の連結枠が円周方向に９０度間隔で配置されているとともに、上下方向に複数組みの前記連結枠が設けられた複数本の支柱を間隔を開けて立設する工程と、
互いに隣接する２本の前記支柱に設けられている前記連結枠のうち、同じ高さレベルに配置されていて、前記出隅とは反対側の外側に配置されている連結枠に手摺り部材の両端部を連結する工程と、
前記手摺り部材の端部に上端部が回動自在に連結されている少なくとも１本のブレース部材の下端部を、前記２本の支柱のうちの１本の支柱に設けられている前記複数組みの連結枠のうち、前記手摺り部材の両端部が連結されている前記連結枠よりも下側の組みに属する連結枠であって、前記出隅とは反対側の外側に配置されている連結枠に連結する工程と、
前記ブレース部材の下端部が連結された前記連結枠を備えている前記１本の支柱に設けられている前記複数組みの連結枠のうち、前記ブレース部材の下端部が連結された前記連結枠が属する組みの連結枠であって、前記出隅と同じ側の内側に配置されている連結枠に、ブラケット部材を介して足場板を連結する工程と、
を含んでいることを特徴とする出隅用仮設足場の構築方法。
【請求項６】
請求項５に記載の出隅用仮設足場の構築方法において、前記ブレース部材は２本あり、これらのブレース部材のそれぞれの上端部は、前記手摺り部材の互いに反対側の端部に回動自在に連結されており、
前記少なくとも１本のブレース部材の下端部を、前記２本の支柱のうちの１本の支柱に設けられている前記複数組みの連結枠のうち、前記手摺り部材の両端部が連結されている前記連結枠よりも下側の組みに属する連結枠であって、前記出隅とは反対側の外側に配置されている連結枠に連結するという前記工程は、前記２本のブレース部材の下端部を、前記２本の支柱に設けられている前記複数組みの連結枠のうち、前記手摺り部材の両端部が連結されている前記連結枠よりも下側の組みに属する連結枠であって、前記出隅とは反対側の外側に配置されている連結枠に連結する工程となっていることを特徴とする出隅用仮設足場の構築方法。
【請求項７】
請求項６に記載の出隅用仮設足場の構築方法において、前記２本のブレース部材の下端部を、前記２本の支柱に設けられている前記複数組みの連結枠のうち、前記手摺り部材の両端部が連結されている前記連結枠よりも下側の前記連結枠の組みに属する連結枠であって、前記出隅とは反対側の外側に配置されている連結枠に連結するという前記工程は、前記２本のブレース部材のうちの一方のブレース部材の下端部を、前記２本の支柱のうちの一方の支柱に設けられている前記連結枠に連結した後に、他方のブレース部材の下端部を、前記２本の支柱のうちの他方の支柱に設けられている前記連結枠に連結する工程となっていることを特徴とする出隅用仮設足場の構築方法。
【発明の詳細な説明】
【技術分野】
【０００１】
本発明は、建物等の作業対象物の出隅の外側に配置される部分を有する出隅用仮設足場及びこの出隅用仮設足場の構築方法に係り、例えば、建築作業や解体作業、塗装作業、土木作業等の各種作業のために構築される仮設足場に利用することができるものである。
【背景技術】
【０００２】
下記の特許文献１には、建物等の作業対象物の外側に構築される仮設足場であって、図１４及び図１５に示されている支柱１が構成部材として用いられる仮設足場、及びこの仮設足場を構築するための方法が開示されている。
【０００３】
すなわち、特許文献１に示されている仮設足場の支柱１は、この支柱１の外周部に連結枠２が設けられたものであり、この連結枠２は４個２Ａ〜２Ｄあり、これらの４個の連結枠２が円周方向に９０度間隔で配置されている。また、４個の連結枠２Ａ〜２Ｄは１組の連結枠２をなし、１本の支柱１には、図１５に示されているように、連結枠２の複数組みが上下方向に設けられている。それぞれの組みにおける連結枠２において、支柱１を間に挟んで互いに対向配置されている２個ずつの連結枠２Ａ，２Ｃと、連結枠２Ｂ，２Ｄとは、図１５から分かるように、上下の段差をもって配置されている。
【０００４】
特許文献１に示されている仮設足場は、一定間隔で立設された複数本の支柱１と、互いに隣接する２本の支柱１に設けられている連結枠２のうち、同じ高さレベルに配置されている連結枠２に両端部が連結されている棒状の手摺り部材３と、この手摺り部材３の一方の端部に上端部が回動自在に連結されているとともに、下端部が、前記２本の支柱１のうちの１本の支柱１Ａに設けられている複数組みの連結枠２のうち、手摺り部材３の両端部が連結されている連結枠２よりも下側の組みに属する連結枠２に連結されている１本ブレース部材４と、を含んで構成されている。
【０００５】
また、特許文献１に示されている仮設足場を構築するための方法は、足場板の施工に先行して手摺り部材３及びブレース部材４を施工する先行手摺り方式の構築方法となっている。この構築方法は、複数本の支柱１を間隔を開けて立設する工程と、互いに隣接する２本の支柱１に設けられている連結枠２のうち、同じ高さレベルに配置されている連結枠２に手摺り部材３の両端部を連結する工程と、この手摺り部材３の一方の端部に上端部が回動自在に連結されている１本のブレース部材４の下端部を、前記２本の支柱１のうちの１本の支柱１Ａに設けられている複数組みの連結枠２のうち、手摺り部材３の両端部が連結された連結枠２よりも下側の組みに属する連結枠２に連結する工程と、からなるものとなっている。
【０００６】
そして、特許文献１に示されている仮設足場及びその構築方法では、互いに隣接し、棒状の手摺り部材３の両端部が連結される２本の支柱１の連結枠２は、図１４及び図１５で示す連結枠２Ｂとなっており、言い換えると、棒状の手摺り部材３の両端部が連結される２本の支柱１の連結枠２は、互いに隣接する２本の支柱１同士の間で互いに向かい合う位置関係となっている連結枠２Ｂ，２Ｄ（図１４及び図１５では２本の支柱１のうち、１本の支柱１Ａだけが示されているため、この支柱１Ａでは、連結枠２Ｂである。）となっており、１本のブレース部材４の下端部が連結される１本の支柱１Ａの連結枠２も、手摺り部材３の両端部が連結された連結枠よりも下側の組みに属する支柱１Ａの連結枠２Ｂとなっている。
【先行技術文献】
【特許文献】
【０００７】
【特許文献１】特開２００２−３１７５５２公報（００３８段落〜００５４段落、図１０〜図１８）
【発明の概要】
【発明が解決しようとする課題】
【０００８】
各種の作業現場で構築される仮設足場のなかには、図１４で示す建物等の作業対象物５の出隅６の外側に配置される部分を有するものがある。このように作業対象物５の出隅６の外側に配置される部分を有する仮設足場では、出隅６を形成している直角をなす２つの面６Ａ，６Ｂのうち、面６Ａと対面する位置に配置される手摺り部材３の両端部は、上述したように、２本の支柱１の連結枠２Ｂ，２Ｄに連結されるとともに、この手摺り部材３の端部に上端部が回動自在に連結されているブレース部材４の下端部は、支柱１Ａに設けられている連結枠２のうち、手摺り部材３の両端部が連結された連結枠よりも下側の組みに属する連結枠２Ｂに連結されるため、２つの面６Ａ，６Ｂのうち、面６Ｂと対面する位置に配置される図１４の手摺り部材３´の支柱１Ａ側の端部は、この支柱１Ａの連結枠２Ｃに連結されることになる。そして、この手摺り部材３´の端部に上端部が回動自在に連結されているブレース部材の下端部が、支柱１Ａに設けられている連結枠２に連結されるようになっている場合には、このブレース部材の下端部は、支柱１Ａに設けられている連結枠２のうち、手摺り部材３´の支柱１Ａ側の端部が連結された連結枠２Ｃよりも下側の組みに属する連結枠２Ｃに連結されることになる。
【０００９】
しかし、建物等の作業対象物５の出隅６の外側に配置される部分を有する仮設足場にも、作業者が乗って所定の作業を行えるようにするための足場板を配置することが行われ、上述の面６Ａと対面して配置される足場板については、支柱１Ａに設けられている連結枠２のうち、手摺り部材３の両端部が連結された連結枠よりも下側の組みに属する連結枠２Ｃに、ブラケット部材を介してこの足場板が連結しなければならず、この連結枠２Ｃには、上述のように作業対象物５の出隅６の外側に配置される部分を有する仮設足場については、手摺り部材３´の端部に上端部が回動自在に連結されているブレース部材の下端部が連結されることになるため、この連結枠２Ｃに、足場板をブラケット部材を介して連結することは不可能となる。
【００１０】
このような問題点は、手摺り部材の両端部に２本のブレース部材のそれぞれの上端部が回動自在に連結されたクロスタイプのブレース部材付き手摺り部材について顕著に生ずる。
【００１１】
本発明の目的は、作業対象物の出隅の外側に配置される部分を有していても、足場板をブラケット部材を介して連結できるようになる出隅用仮設足場及びその構築方法を提供するところにある。
【課題を解決するための手段】
【００１２】
本発明に係る出隅用仮設足場は、作業対象物の出隅の外側に配置される部分を有する出隅用仮設足場であって、外周部に４個で１組をなす連結枠が設けられ、これらの４個の連結枠が円周方向に９０度間隔で配置されているとともに、上下方向に複数組みの前記連結枠が設けられた支柱と、互いに隣接する２本の前記支柱に設けられている前記連結枠のうち、同じ高さレベルに配置されていて、前記出隅とは反対側の外側に配置されている連結枠に両端部が連結されている棒状の手摺り部材と、この手摺り部材の端部に上端部が回動自在に連結されているとともに、下端部が、前記２本の支柱のうちの１本の支柱に設けられている前記複数組みの連結枠のうち、前記手摺り部材の両端部が連結されている前記連結枠よりも下側の組みに属する連結枠であって、前記出隅とは反対側の外側に配置されている連結枠に連結された少なくとも１本ブレース部材と、このブレース部材の下端部が連結された前記連結枠を備えている前記１本の支柱に設けられている前記複数組みの連結枠のうち、前記ブレース部材の下端部が連結された前記連結枠が属する組みの連結枠であって、前記出隅と同じ側の内側に配置されている連結枠に、ブラケット部材を介して連結された足場板と、を含んで構成されていることを特徴とするものである。
【００１３】
以上の本発明に係る出隅用仮設足場によると、手摺り部材の両端部及びブレース部材の下端部が連結される連結枠は、出隅とは反対側の外側に配置されている連結枠であるため、作業対象物の出隅の外側に配置される部分を有する出隅用仮設足場であっても、出隅と同じ側の内側に配置されている連結枠は、ブレース部材の下端部を連結するために用いられることはない。このため、出隅と同じ側の内側に配置されている連結枠を、足場板をブラケット部材を介して連結するために用いることができる。
【００１４】
本発明に係る出隅用仮設足場において、ブレース部材の本数は１本でもよく、２本でもよい。
【００１５】
ブレース部材の本数を２本とする場合には、これらのブレース部材のそれぞれの上端部は、手摺り部材の互いに反対側の端部に回動自在に連結されるとともに、２本のブレース部材のそれぞれの下端部は、互いに隣接する２本の支柱に設けられている複数組みの連結枠のうち、手摺り部材の両端部が連結されている連結枠よりも下側の組みに属する連結枠であって、出隅とは反対側の外側に配置されている連結枠に連結されることになる。
【００１６】
また、本発明に係る出隅用仮設足場において、手摺り部材の端部にブレース部材の上端部を回動自在に連結するための構造は任意である。その一例は、手摺り部材の少なくとも一方の端部に、この端部を前記連結枠に連結するための連結部材を結合し、この連結部材にブレース部材の上端部を回動自在に連結することにより、連結部材を介してブレース部材の上端部を手摺り部材の端部に回動自在に連結することである。
【００１７】
これによると、手摺り部材の連結部材が結合された端部を、この連結部材により連結枠に連結すると、この連結部材に上回動自在に連結されたブレース部材の上端部も、この連結枠に同時に連結できることになる。
【００１８】
このように、手摺り部材の少なくとも一方の端部に、この端部を前記連結枠に連結するための連結部材を結合し、この連結部材にブレース部材の上端部を回動自在に連結することにより、連結部材を介してブレース部材の上端部を手摺り部材の端部に回動自在に連結する場合には、連結部材に、手摺り部材に対するブレース部材の回動開き角度を規制するための開き角度規制部を設けてもよい。
【００１９】
これによると、手摺り部材に対するブレース部材の回動開き角度が大きくなることを開き角度規制部により規制することができるため、手摺り部材の両端部を互いに隣接する２本の支柱の連結枠に連結する作業時等において、手摺り部材及びブレース部材の取り扱い性を向上させることができる。
【００２０】
本発明に係る出隅用仮設足場の構築方法は、作業対象物の出隅の外側に配置される部分を有する出隅用仮設足場を構築する方法であって、外周部に４個で１組をなす連結枠が設けられ、これらの４個の連結枠が円周方向に９０度間隔で配置されているとともに、上下方向に複数組みの前記連結枠が設けられた複数本の支柱を間隔を開けて立設する工程と、互いに隣接する２本の前記支柱に設けられている前記連結枠のうち、同じ高さレベルに配置されていて、前記出隅とは反対側の外側に配置されている連結枠に手摺り部材の両端部を連結する工程と、前記手摺り部材の端部に上端部が回動自在に連結されている少なくとも１本のブレース部材の下端部を、前記２本の支柱のうちの１本の支柱に設けられている前記複数組みの連結枠のうち、前記手摺り部材の両端部が連結されている前記連結枠よりも下側の組みに属する連結枠であって、前記出隅とは反対側の外側に配置されている連結枠に連結する工程と、前記ブレース部材の下端部が連結された前記連結枠を備えている前記１本の支柱に設けられている前記複数組みの連結枠のうち、前記ブレース部材の下端部が連結された前記連結枠が属する組みの連結枠であって、前記出隅と同じ側の内側に配置されている連結枠に、ブラケット部材を介して足場板を連結する工程と、を含んでいることを特徴とするものである。
【００２１】
この出隅用仮設足場の構築方法においても、ブレース部材の本数は１本でもよく、２本でもよい。
【００２２】
ブレース部材の本数が２本である場合には、これらのブレース部材のそれぞれの上端部は、手摺り部材の互いに反対側の端部に回動自在に連結される。
【００２３】
そして、このように手摺り部材の互いに反対側の端部に、２本のブレース部材のそれぞれの上端部が回動自在に連結されている場合には、前述した少なくとも１本のブレース部材の下端部を、２本の支柱のうちの１本の支柱に設けられている複数組みの連結枠のうち、手摺り部材の両端部が連結されている連結枠よりも下側の組みに属する連結枠であって、出隅とは反対側の外側に配置されている連結枠に連結するという前記工程は、２本のブレース部材の下端部を、２本の支柱に設けられている複数組みの連結枠のうち、手摺り部材の両端部が連結されている連結枠よりも下側の組みに属する連結枠であって、出隅とは反対側の外側に配置されている連結枠に連結する工程となる。
【００２４】
また、手摺り部材の互いに反対側の端部に、２本のブレース部材のそれぞれの上端部が回動自在に連結されている場合には、２本のブレース部材の下端部を、２本の支柱に設けられている前記複数組みの連結枠のうち、手摺り部材の両端部が連結されている連結枠よりも下側の組みに属する連結枠であって、出隅とは反対側の外側に配置されている連結枠に連結するという前記工程は、２本のブレース部材のうちの一方のブレース部材の下端部を、前記２本の支柱のうちの一方の支柱に設けられている前記連結枠に連結した後に、他方のブレース部材の下端部を、前記２本の支柱のうちの他方の支柱に設けられている前記連結枠に連結する工程としてもよい。
【００２５】
以上説明した本発明において、手摺り部材の両端部やブレース部材の下端部が連結される連結枠は、上方へ継ぎ足された支柱に設けられている連結枠でもよい。
【００２６】
また、本発明に係る出隅用仮設足場及びその構築方法は、任意な作業対象物の外側に配置される仮設足場に適用することができ、仮設足場で実施される作業は、建築作業でもよく、解体作業でもよく、塗装作業でもよく、土木作業等でもよい。
【発明の効果】
【００２７】
本発明によると、作業対象物の出隅の外側に配置される部分を有する仮設足場であっても、足場板をブラケット部材を介して連結できるという効果を得られる。
【図面の簡単な説明】
【００２８】
【図１】図１は、本発明の一実施形態に係る出隅用仮設足場を示す正面図である。
【図２】図２は、図１のＳ２−Ｓ２線断面図である。
【図３】図３は、手摺り部材の端部を支柱の連結枠に連結する前を示す正面図である。
【図４】図４は、手摺り部材の端部を支柱の連結枠に連結した後を示す正面図である。
【図５】図５は、ブレース部材の下端部を支柱の連結枠に連結する前を示す正面図である。
【図６】図６は、ブレース部材の下端部を支柱の連結枠に連結した後を示す正面図である。
【図７】図７は、図５及び図６で示されているブレース部材の下端部に設けられている連結部材を示す平面図である。
【図８】図８は、図７に示されている連結部材を図７のＳ８矢視方向から見た側面図である。
【図９】図９は、出隅用仮設足場を先行手摺り方式で構築するときの第１作業工程を示す正面図である。
【図１０】図１０は、出隅用仮設足場を先行手摺り方式で構築するときの第２作業工程を示す正面図である。
【図１１】図１１は、出隅用仮設足場を先行手摺り方式で構築するときの第３作業工程を示す正面図である。
【図１２】図１２は、出隅用仮設足場を先行手摺り方式で構築するときの第４作業工程を示す正面図である。
【図１３】図１３は、出隅用仮設足場を先行手摺り方式で構築するときの第５作業工程を示す正面図である。
【図１４】図１４は、従来例を示す平面図である。
【図１５】図１５は、従来例を示す正面図である。
【発明を実施するための形態】
【００２９】
以下に本発明を実施するための形態を図面に基づいて説明する。図１には、本発明の一実施形態に係る出隅用仮設足場の正面図が示され、図１のＳ２−Ｓ２線断面図となっている図２には、この出隅用仮設足場の平断面図が示されている。
【００３０】
図１及び図２に示されている本実施形態に係る出隅用仮設足場は、足場板の施工よりも先に手摺り部材の施工が実施される先行手摺り方式が適用された仮設足場となっている。この出隅用仮設足場を構成する支柱１は、図１及び図２において、合計３本１Ａ，１Ｂ，１Ｃ示されている。これらの支柱１Ａ，１Ｂ，１Ｃのうち、図２に示されているように、建物等の作業対象物５の出隅６の直角をなす２つの面６Ａ，６Ｂのうち、面６Ａと対面して立設されている支柱１は、支柱１Ａと１Ｂであり、面６Ｂと対面して立設されている支柱１は、支柱１Ａと１Ｃである。これらの支柱１は、従来例を示している前述の図１４及び図１５の支柱１と同じであるため、それぞれの支柱１Ａ，１Ｂ，１Ｃの外周部には連結枠２が設けられているとともに、この連結枠２は４個２Ａ〜２Ｄで１組をなし、これらの４個の連結枠２が円周方向に９０度間隔で配置されている。また、それぞれの支柱１Ａ，１Ｂ，１Ｃには、図１に示されているように、連結枠２の複数組みが上下方向に設けられ、それぞれの組みにおいて、支柱２を間に挟んで互いに対向配置されている２個ずつの連結枠２Ａ，２Ｃと、連結枠２Ｂ，２Ｄとは、上下の段差をもって配置されている。
【００３１】
図１及び図２には、支柱１に設けられている連結枠２の組みとして、上から下へ順番に組みＡ、組みＢ、組みＣが示されている。また、それぞれの組みＡ〜Ｃにおける連結枠２は、平面視でコ字形状となっている部材を支柱１の外周面に溶接等で結合することにより形成されている。このため、それぞれの連結枠２は、上下に貫通したものとなっている。また、図３〜図６に示されているように、それぞれの連結枠２における支柱１とは反対側の面となっている正面部７は、下に向かって次第に支柱１に近づく傾斜面となっている。
【００３２】
図１に示されているように、本実施形態に係る出隅用仮設足場は、棒状の手摺り部材１０と、２本のブレース部材１１と、を含んで構成され、そして、それぞれのブレース部材１１の上端部は手摺り部材１０の両端部に回動自在に連結されている。このため、この手摺り部材１０は、クロスタイプのブレース部材付き手摺り部材となっている。
【００３３】
手摺り部材１０の端部にブレース部材１１の上端部を回動自在に連結するための構造は、それぞれのブレース部材１１について同じであり、図３には、手摺り部材１０の右側の端部にブレース部材１１の上端部を回動自在に連結する構造が示されている。この図３に示されているように、断面円形の金属管からなる手摺り部材１０の端部には金属板による連結部材１２が結合され、この結合は、手摺り部材１０の端部を、内部に小さなすき間を残して押すつぶし加工し、このすき間に挿入した連結部材１２の端部１２Ａを溶接で手摺り部材１０に接合することによって行われている。連結部材１２の先端部には、下方へ先細り状に延びる下方延出部１２Ｂが設けられており、この下方延出部１２Ｂと端部１２Ａとの間において、ブレース部材１１の上端部が連結部材１２にボルト・ナットやリベット等による止着具１３で回動自在に連結されている。
【００３４】
以上の構造により、連結部材１２の下方延出部１２Ｂを連結枠２に、図４に示されているように上から下に挿入することにより、手摺り部材１０の端部は、連結部材１２を介して連結枠２に連結されるとともに、ブレース部材１１の上端部も、連結部材１２を介して連結枠２に連結されることになる。
【００３５】
また、連結部材１２には、手摺り部材１０に対するブレース部材１１の回動開き角度を規制するための開き角度規制部１４が設けられており、開き角度規制部１４にブレース部材が当接するまで、このブレース部材１１を止着具１３を中心に手摺り部材１０に対して開き回動させることができるが、それ以上開き回動させることは開き角度規制部１４で阻止される。
【００３６】
さらに、図１で示されているとおり、それぞれのブレース部材１１の長さ方向中央部分には、断面円形の金属管からなるブレース部材１１の押しつぶし加工による扁平部１１Ａが形成されており、このため、２本のブレース部材１１を、互いに接触させることなくクロスさせることができるようになっている。
【００３７】
図１に示されているように、それぞれのブレース部材１１の下端部には、この下端部を連結枠２に連結するための連結部材１５が連結されている。この連結部材１５の正面形状は、図５に示され、連結部材１５の平面形状は、図７に示され、連結部材１５の図７のＳ８矢視方向の側面形状は、図８に示されている。
【００３８】
連結部材１５は、図７から分かるように、例えば、１枚の金属板の折り曲げ品であり、連結部材１５は、互いに対面する２個の板状本体部１５Ａを有し、これらの板状本体部１５Ａの間に挿入されたブレース部材１１の下端部と、連結部材１５とが、ボルト・ナットやリベット等による止着具１６により回動自在に連結されている。
【００３９】
また、図７に示されているように、２個の板状本体部１５Ａの先端部同士は接続部１７で連結されており、この接続部１７は、図８に示されているように、上下に２個１７Ａ，１７Ｂあり、これらの接続部１７Ａ，１７Ｂの間は、連結部材１５の内側へ窪んだ窪み部１８となっている。また、この窪み部１８の底部は、図７に示されているように、２個の板状本体部１５Ａのそれぞれに形成された折り曲げ部１５Ｂにより塞がれている。そして、図５に示されているとおり、この窪み部１８に連結枠２を挿入することにより、連結部材１５をこの連結枠２にセットできるようになっている。
【００４０】
また、図５に示されているように、２個の板状本体部１５Ａの間のすき間には、ブレース部材１１と接続部１７との間において、上下方向に長い部材となっている楔状部材１９を上から下へ挿入させることができるようになっている。さらに、図７に示されているように、２個の板状本体部１５Ａの間には、楔状部材１９が上下へ挿入される箇所よりもブレース部材１１側の位置において、ピン等による抜け止め部材２０が架け渡されている。そして、図５に示されているように、楔状部材１９の頭部は、ブレース部材１１側へ屈曲した屈曲部１９Ａとなっているとともに、楔状部材１９の下端部には、ブレース部材１１側へ膨出した膨出部１９Ｂが形成されている。
【００４１】
このため、２個の板状本体部１５Ａの間に挿入されることにより連結部材１５の内部に配置された楔状部材１９は、屈曲部１９Ａと膨出部１９Ｂが抜け止め部材２０に当接することにより、連結部材１５に上下方向に抜け止めされてセットされている。
【００４２】
図５に示されているように、膨出部１９Ｂが抜け止め部材２０に当接するまで楔状部材１９を上方へ引き上げ、連結部材１５の窪み部１８に連結枠２を挿入することにより、この連結部材１５を連結枠２にセットした後に、図６に示されているように、楔状部材１９を打ち込むなどしてこの楔状部材１９を連結枠２の内部を上下に貫通させ、楔状部材１９の下端部を連結部材１５の下端部から突出させることにより、ブレース部材１１の下端部は、連結部材１５と楔状部材１９により連結枠２に連結されることになる。
【００４３】
図８に示されているように、楔状部材１９は、厚さ寸法が大きい上部２１と、厚さ寸法が小さい下部２２と、これらの上部２１と下部２２との間の中間部２３とからなり、この中間部２３の表面は、前述の支柱１の直径方向に傾斜した傾斜面となっている。このため、楔状部材１９を打ち込むなどしてこの楔状部材１９を連結枠２の内部を上下に貫通させることにより、ブレース部材１１の下端部を連結部材１５と楔状部材１９とで連結枠２に連結した場合には、窪み部１８と対応する位置に達している中間部２３の傾斜面となっている表面が、連結枠２の前述した傾斜面となっている正面部７の内面に、この内面に倣いながら接触することになり、言い換えると、このときに楔状部材１９の楔作用が生じ、この楔作用により、ブレース部材１１の下端部は連結部材１５と楔状部材１９とで連結枠２に確実に連結される。
【００４４】
また、図８に示されているように、連結部材１５を形成している２個の板状本体部１５Ａのそれぞれ下端部には、下方に延びるにしたがって互いに近づく突片状のガイド部１５Ｃが設けられており、これらのガイド部１５Ｃにより、楔状部材１９のうち、厚さ寸法が小さい下部２２を下向きに案内することができるようになっている。
【００４５】
なお、連結部材１５は、ロストワックス法や鋳造法等の任意な製造法によっても製造することもできる。
【００４６】
図１に示されているように、互いに隣接する２本の支柱１Ａと１Ｂの間に架設される手摺り部材１０の両端部は、言い換えると、図２で説明した建物等の作業対象物５の出隅６の直角をなす２つの面６Ａ，６Ｂのうち、面６Ａと対面して立設されている２本の支柱１Ａと１Ｂとの間に架設される手摺り部材１０の両端部は、これらの支柱１Ａ，１Ｂにおける前述した組みＡの４個の連結枠２Ａ〜２Ｄのうち、同じ高さレベルに配置されている２個の連結枠２Ａに連結部材１２により連結されている。これらの連結枠２Ａは、作業対象物５の出隅６の面６Ａに対しては、出隅６とは反対側の外側に配置された連結枠になっている。
【００４７】
また、図１に示されているように、手摺り部材１０の両端部に連結部材１２を介してそれぞれの上端部が回動自在に連結されている２本のブレース部材１１の下端部は、２本の支柱１Ａ，１Ｂにおける前述した組みＣの４個の連結枠２Ａ〜２Ｄのうち、連結枠２Ａに連結部材１５と楔状部材１９により連結されている。この連結枠２Ａも、作業対象物５の出隅６の面６Ａに対しては、出隅６とは反対側の外側に配置された連結枠になっている。
【００４８】
さらに、以上の手摺り部材１０と２本のブレース部材１１により安全性が確保されて作業を行う作業者が乗るための足場板２５は、支柱１Ａ，１Ｂにおける組みＣの４個の連結枠２Ａ〜２Ｄのうち、連結枠２Ｃに連結されたブラケット部材２６（図２を参照）により、支柱１Ａ，１Ｂの間に架け渡されている。支柱１Ａ，１Ｂにおけるこれらの連結枠２Ｃは、作業対象物５の出隅６の面６Ａに対しては、出隅６と同じ側の内側に配置された連結枠になっている。
【００４９】
なお、ブラケット部材２６は、水平方向に延びる本体２６Ａの一方の端部に、支柱１に設けられている連結枠２に上から下に挿入される楔状部材を有するものになっており、この楔状部材を連結枠２に挿入することにより、ブラケット部材２６は支柱１の連結枠２に連結される。また、ブラケット部材２６には、本体２６Ａから斜め下方へ延びて先端が支柱の外周面に当接する斜部材が設けられ、この斜部材により、ブラケット部材２６等の重量が支柱１に支持されるようになっている。そして、支柱１Ａ，１Ｂの連結枠２Ｃに上記楔状部材で連結された２個のブラケット部材２６の本体２６Ａに、足場板２５の両端部に設けられた図１及び図２で示すフック部２５Ａを係止することにより、この足場板２５は、支柱１Ａ，１Ｂに架け渡されて仮設足場に連結されることになる。
【００５０】
以上の説明が、作業対象物５の出隅６の面６Ａと対面していて、互いに隣接して立設されている２本の支柱１Ａ、１Ｂの間に、手摺り部材１０と、２本のブレース部材１１と、足場板２５とを架け渡し連結するための構造である。
【００５１】
また、図１において、支柱１Ｂよりも左側に立設されている図示外の支柱（図９〜図１３で示されている支柱１Ｄに相当するもの）も、支柱１Ａ，１Ｂと同様に、作業対象物５の出隅６の面６Ａと対面しているものになっている。この図示外の支柱と、支柱１Ｂとの間にも、手摺り部材１０と、２本のブレース部材１１と、足場板２５とが架け渡し連結されており、これらの手摺り部材１０と、２本のブレース部材１１と、足場板２５についても、支柱１Ａ、１Ｂの間に架け渡し連結されている上述の手摺り部材１０と、２本のブレース部材１１と、足場板２５と同様の構造により、上記図示外の支柱と、支柱１Ｂとの間に架け渡し連結されている。
【００５２】
一方、図２で説明した建物等の作業対象物５の出隅６の直角をなす２つの面６Ａ，６Ｂのうち、面６Ｂと対面して立設されている２本の支柱１Ａと１Ｃとの間に架設される手摺り部材１０´の両端部は、図１及び図２から分かるように、これらの支柱１Ａ，１Ｃにおける前述した組みＡの４個の連結枠２Ａ〜２Ｄのうち、連結枠２Ｄに連結部材１２により連結されている。この連結枠２Ｄは、作業対象物５の出隅６の面６Ｂに対しては、出隅６とは反対側の外側に配置された連結枠になっている。
【００５３】
また、手摺り部材１０´の両端部に連結部材１２を介してそれぞれの上端部が回動自在に連結されている２本のブレース部材１１´（図１を参照）の下端部は、２本の支柱１Ａ，１Ｃにおける前述した組みＣの４個の連結枠２Ａ〜２Ｄのうち、連結枠２Ｄに連結部材１５と楔状部材１９により連結されている。この連結枠２Ｄも、作業対象物５の出隅６の面６Ｂに対しては、出隅６とは反対側の外側に配置された連結枠になっている。
【００５４】
さらに、以上の手摺り部材１０´と２本のブレース部材１１´により安全性が確保されて作業を行う作業者が乗るための足場板２５´は、支柱１Ｃにおける組みＣの４個の連結枠２Ａ〜２Ｄのうち、連結枠２Ｂに連結されたブラケット部材２６´（図２を参照）と、前述した足場板２５との間に架け渡されている。すなわち、この足場板２５´の一方の端部は、足場板２５の上に載せられることによりこの足場板２５で支持され、他方の端部は、支柱１Ｃの組みＣにおける連結枠２Ｂに連結されたブラケット部材２６´により支持されている。
【００５５】
そして、足場板２５´の上記他方の端部がブラケット部材２６´を介して連結されていることになっている支柱１Ｃにおける連結枠２Ｂは、作業対象物５の出隅６の面６Ｂに対しては、出隅６と同じ側の内側に配置された連結枠になっている。
【００５６】
なお、図２で示した手摺り部材１０を補強するために、この図２で示されているように、補強用手摺り部材１００を、支柱１Ａの組みＡにおける連結枠２Ｂと、支柱１Ｂの組みＡにおける連結枠２Ｄとの間に架け渡してもよい。また、このように補強用手摺り部材１００を、支柱１Ａの組みＡにおける連結枠２Ｂと、支柱１Ｂの組みＡにおける連結枠２Ｄとの間に架け渡す場合には、図２で示した手摺り部材１０´を補強するために、補強用手摺り部材１００´を、支柱１Ａの組みＡにおける連結枠２Ｃと、支柱１Ｃの組みＡにおける連結枠２Ａとの間に架け渡してもよい。
【００５７】
また、上述したように支柱１Ａの組みＡにおける連結枠２Ａと、支柱１Ｂの組みＡにおける連結枠２Ａとの間に手摺り部材１０を架け渡すとともに、支柱１Ａの組みＡにおける連結枠２Ｂと、支柱１Ｂの組みＡにおける連結枠２Ｄとの間に補強用手摺り部材１００を架け渡すことは、出隅用の仮設足場だけではなく、一般の仮設足場にも適用することができる。さらに、支柱１Ａの組みＡにおける連結枠２Ｂと、支柱１Ｂの組みＡにおける連結枠２Ｄとに連結する部材は、補強用手摺り部材１００に限定されず、他の仮設足場用構成部材もこれらの連結枠２Ｂ，２Ｄに連結することができる。
【００５８】
次に、本実施形態に係る先行手摺り方式の作業により実施する手摺り部材１０，１０´とブレース部材１１，１１´の施工方法について、図９〜図１３に基づき説明する。
【００５９】
なお、これらの図９〜図１３には、４個で１組をなす連結枠２の組みａ〜ｈが上下方向に設けられている支柱１Ａ，１Ｂ，１Ｄが示されており、下記に説明する施工作業は、支柱１Ａ，１Ｂ，１Ｄのうち、支柱１Ｂと１Ｄとの間に手摺り部材１０とブレース部材１１を架け渡す場合であるが、支柱１Ａと１Ｂとの間に手摺り部材１０とブレース部材１１を架け渡す場合、及び支柱１Ａと、図１及び図２で示されている支柱１Ｃとの間に手摺り部材１０´とブレース部材１１´を架け渡す場合も同様である。
【００６０】
また、図９〜図１３は、それぞれ上下複数段設けられる手摺り部材１０、ブレース部材１１、足場板２５のうち、最下段の手摺り部材１０、ブレース部材１１、足場板２５についての施工作業が既に終了していて、下から２段目の手摺り部材１０、ブレース部材１１、足場板２５についての施工作業を行う場合を示している。それぞれの段における手摺り部材１０、ブレース部材１１、足場板２５についての施工作業も、下記の説明と同様に行われる。
【００６１】
それぞれの支柱１は、所定間隔で、言い換えると、足場板２５，２５´の長さと対応した間隔で立設されている。図９に示されているように、下から２段目の手摺り部材１０及びブレース部材１１を施工するために、作業者３０は、両手で２本のブレース部材１１を持って最下段の足場板２５の上に乗り、次いで、図１０に示されているように、作業者３０は、手摺り部材１０の一方の端部に設けられている連結部材１２により、この一方の端部を支柱１Ｄの組みｂの連結枠２Ａに連結し、この後、図１１に示されているように、作業者３０は、手摺り部材１０の他方の端部に設けられている連結部材１２により、この他方の端部を支柱１Ｂの組みｂの連結枠２Ａに連結する。
【００６２】
これにより、手摺り部材１０の両端部は、互いに隣接している２本の支柱１Ｂと１Ｄの同じ高さレベルに配置されている組みｂの連結枠２Ａに連結されたことになる。
【００６３】
次いで、図１２に示されているように、作業者３０は、２本のブレース部材１１のうち、一方のブレース部材１１の下端部に設けられている連結部材１５を、支柱１Ｄにおける上述の組みｂよりも下側の組みｄの連結枠２Ａに前述した楔状部材１９で連結し、この後に、図１３に示されているように、作業者３０は、２本のブレース部材１１のうち、他方のブレース部材１１の下端部に設けられている連結部材１５を、支柱１Ｂにおける上述の組みｂよりも下側の組みｄの連結枠２Ａに楔状部材１９で連結する。
【００６４】
これにより、一方のブレース部材１１の上端部は、支柱１Ｂの組みｂの連結枠２Ａに、下端部は、支柱１Ｄの組みｄの連結枠２Ａに、それぞれ連結されるとともに、他方のブレース部材１１の上端部は、支柱１Ｄの組みｂの連結枠２Ａに、下端部は、支柱１Ｂの組みｄの連結枠２Ａに、それぞれ連結されたことになる。
【００６５】
なお、それぞれのブレース部材１１の下端部を支柱１Ｂ，１Ｄの組みｄの連結枠２Ａに連結する作業は、一方のブレース部材１１の下端部に設けられている連結部材１５を、支柱１Ｄの組みｄの連結枠２Ａに前述したようにセットした後に、他方のブレース部材１１の下端部に設けられている連結部材１５を、支柱１Ｂの組みｄの連結枠２Ａにセットし、次いで、一方のブレース部材１１の連結部材１５を、支柱１Ｄの組みｄの連結枠２Ａに楔状部材１９で連結し、他方のブレース部材１１の連結部材１５を、支柱１Ｂの組みｄの連結枠２Ａに楔状部材１９で連結することにより、行うようにしてもよい。
【００６６】
以上の作業後に、支柱１Ｂ，１Ｄの組みｄの連結枠２Ｃに、図２に示されているように、ブラケット部材２６を連結し、このようにして支柱１Ｂ，１Ｄに取り付けられた２個のブラケット部材２６に、図１及び図２に示されているように、前述の下から２段目の足場板２５を架け渡すことにより、この足場板２５を、支柱１Ｂ，１Ｄの組みｄの連結枠２Ｃに連結する。
【００６７】
また、前述した補強用手摺り部材１００を本実施形態に係る出隅用仮設足場に設ける場合には、上述の２段目の足場板２５についての架け渡し施工作業が終了した後に、この２段目の足場板２５の上に作業者３０が乗ることにより、この作業者が、２本の支柱の間での補強用手摺り部材１００の架け渡し施工作業を行う。
【００６８】
以上説明した本実施形態に係る作用効果を、図１及び図２で示されている支柱１Ａ，１Ｂ，１Ｃ、手摺り部材１０，１０´、ブレース部材１１，１１´、足場板２５に関して説明すると、作業対象物５の出隅６の面６Ａと対面する位置関係で配置される手摺り部材１０の両端部と、この手摺り部材１０の端部に上端部が回動自在に連結されたブレース部材１１の下端部とが連結される支柱１Ａ，１Ｂの連結枠２は、作業対象物５の出隅６とは反対側の外側に配置されている連結枠２Ａであり、また、作業対象物５の出隅６の面６Ｂと対面する位置関係で配置される手摺り部材１０´の両端部と、この手摺り部材１０´の端部に上端部が回動自在に連結されたブレース部材１１´の下端部とが連結される支柱１Ａ，１Ｃの連結枠２も、作業対象物５の出隅６とは反対側の外側に配置されている連結枠２Ｄであるため、支柱１Ａ及び１Ｂにおける１組をなす４個の連結枠２Ａ〜２Ｄのうち、作業対象物５の出隅６と同じ側の内側に配置されている連結枠２Ｃは、手摺り部材１０及びブレース部材１１を連結するために用いられていない。
【００６９】
このため、支柱１Ａ及び１Ｂにおける連結枠２Ｃを、ブラケット部材２６を介して足場板２５を連結するために用いることが可能となり、これにより、作業対象物５の出隅６の外側に配置される部分を有する出隅用仮設足場にも、足場板２５を配置することができる。
【００７０】
また、本実施形態では、手摺り部材１０の両端部に２本のブレース部材１１のそれぞれの上端部を回動自在に連結するために、手摺り部材１０のそれぞれの端部に連結部材１２が結合されており、この連結部材１２には、支柱１の連結枠２に上から挿入されることにより、手摺り部材１０の端部をこの連結枠２に連結するための下方延出部１２Ｂが形成されているため、この下方延出部１２Ｂで手摺り部材１０の端部を連結枠２に連結すると、この端部に連結部材１２を介して連結されているブレース部材１１の上端部も、この連結枠２に同時に連結することができ、このため、手摺り部材とブレース部材の連結枠への連結作業の簡単化を図ることができる。
【００７１】
また、連結部材１２には、手摺り部材１０に対するブレース部材１１の回動開き角度が一定角度以上になることを規制するための開き角度規制部１４が設けられているため、手摺り部材１０に対して折り畳み状態となっていた２本のブレース部材１１を、図９で示されているように、作業者３０が両手で持って開き回動させたときに、それぞれのブレース部材１１が手摺り部材１０に対して必要以上に大きく開くことを防止することができる。このため、図１０や図１１で示されているように、手摺り部材１０のそれぞれの端部を支柱１Ｂ，１Ｄの組みｂの連結枠２Ａに連結するための作業を作業者３０が行うときに、この作業を容易に行えることになる。
【産業上の利用可能性】
【００７２】
本発明は、建築作業や解体作業、塗装作業、土木作業等の各種作業のために構築される出隅用仮設足場に利用することができる。
【符号の説明】
【００７３】
１  支柱
２，２Ａ〜２Ｄ  連結枠
５  作業対象物
６  出隅
１０，１０´  手摺り部材
１１，１１´  ブレース部材
１２  手摺り部材の端部の連結部材
１４  開き角度規制部材
１５  ブレース部材の下端部の連結部材
２５，２５´  足場板
２６，２６´  ブラケット部材
Ａ〜Ｃ，ａ〜ｈ  連結枠の組み
【図１】
2010242424.tif 000003
【図２】
2010242424.tif 000004
【図３】
2010242424.tif 000005
【図４】
2010242424.tif 000006
【図５】
2010242424.tif 000007
【図６】
2010242424.tif 000008
【図７】
2010242424.tif 000009
【図８】
2010242424.tif 000010
【図９】
2010242424.tif 000011
【図１０】
2010242424.tif 000012
【図１１】
2010242424.tif 000013
【図１２】
2010242424.tif 000014
【図１３】
2010242424.tif 000015
【図１４】
2010242424.tif 000016
【図１５】
2010242424.tif 000017